(57)【要約】【課題】  通信処理と放送受信処理とを並列的に処理ができる通信端末装置を実現する。【解決手段】  ＴＶ部２０の動作中に着信があると、制御部１２はＴＶ部２０を通常の放送受信形態からメタデータ出力および音声ミュートするメタデータ放送受信形態に変更させてＴＶ部２０の消費電力を低減させた状態で携帯電話部１０に通話処理させる。これにより、例えばプロ野球中継のメタデータ放送を受信して試合内容について通話相手と会話できる。また、ＴＶ部２０の動作中にメール着信があると、制御部１２はＴＶ部２０を通常の放送受信形態からメタデータ出力するメタデータ放送受信形態に変更させ、表示部１８の表示エリアの上半分にメタデータ放送受信内容を、下半分に着信メール本文を画面表示する。これにより、メタデータ放送受信内容を見ながら、着信メールの内容を確認できる。【選択図】  図１
2005269508.tif 000002
【特許請求の範囲】
【請求項１】
映像・音声を出力する第１の放送受信形態またはメタデータを出力して音声をミュートする第２の放送受信形態のいずれかで放送を受信する放送受信手段と、
着信時に通話を開始させるオフフック手段と、
前記放送受信手段が第１の放送受信形態で放送を受信している時に前記オフフック手段が通話を開始させた場合、前記放送受信手段の受信形態を第２の放送受信形態に変更させる変更手段と
を具備することを特徴とする通信端末装置。
【請求項２】
映像・音声を出力する第１の放送受信形態またはメタデータを出力して音声をミュートする第２の放送受信形態のいずれかで放送を受信する放送受信手段と、
着信時に通話を開始させるオフフック手段と、
前記オフフック手段により開始された通話を終了させるオンフック手段と、
前記放送受信手段が第１の放送受信形態で放送を受信している時に前記オフフック手段が通話を開始させた場合に、前記放送受信手段の受信形態を第２の放送受信形態に変更させる第１の変更手段と、
前記放送受信手段が第２の放送受信形態で放送を受信している時に前記オンフック手段が通話を終了させた場合に、前記放送受信手段の受信形態を第１の放送受信形態に変更させる第２の変更手段と
を具備することを特徴とする通信端末装置。
【請求項３】
映像・音声を出力する第１の放送受信形態またはメタデータを出力する第２の放送受信形態のいずれかで放送を受信する放送受信手段と、
着信したメールを受信するメール受信手段と、
前記メール受信手段により受信されたメールの開封を指示する開封指示手段と、
前記放送受信手段が第１の放送受信形態で放送を受信している時に前記開封指示手段がメールの開封を指示した場合、前記放送受信手段の受信形態を第２の放送受信形態に変更させる変更手段と、
前記変更手段の変更指示に応じて、前記放送受信手段が第２の放送受信形態で放送受信したメタデータと前記開封指示手段により開封指示されたメールの内容とを表示する表示手段と
を具備することを特徴とする通信端末装置。
【請求項４】
映像・音声を出力する第１の放送受信形態またはメタデータを出力する第２の放送受信形態のいずれかで放送を受信する放送受信手段と、
着信したメールを受信するメール受信手段と、
前記メール受信手段により受信されたメールの開封を指示する開封指示手段と、
メール開封の終了を指示する終了指示手段と、
前記放送受信手段が第１の放送受信形態で放送を受信している時に前記開封指示手段がメールの開封を指示した場合、前記放送受信手段の受信形態を第２の放送受信形態に変更させる第１の変更手段と、
前記第１の変更手段の変更指示に応じて、前記放送受信手段が第２の放送受信形態で放送受信したメタデータと前記開封指示手段により開封指示されたメールの内容とを表示する表示手段と、
前記放送受信手段が第２の放送受信形態で放送を受信している時に前記終了指示手段がメール開封の終了を指示した場合に、前記放送受信手段の受信形態を第１の放送受信形態に変更させる第２の変更手段と
を具備することを特徴とする通信端末装置。
【請求項５】
映像・音声を出力する第１の放送受信形態またはメタデータを出力して音声をミュートする第２の放送受信形態のいずれかで放送を受信する放送受信処理と、
着信時に通話を開始させるオフフック処理と、
前記放送受信処理にて第１の放送受信形態で放送を受信している時に前記オフフック処理により通話を開始させた場合、前記放送受信処理の受信形態を第２の放送受信形態に変更させる変更処理と
をコンピュータで実行させることを特徴とする通信端末処理プログラム。
【請求項６】
映像・音声を出力する第１の放送受信形態またはメタデータを出力して音声をミュートする第２の放送受信形態のいずれかで放送を受信する放送受信処理と、
着信時に通話を開始させるオフフック処理と、
前記オフフック処理により開始された通話を終了させるオンフック処理と、
前記放送受信処理にて第１の放送受信形態で放送を受信している時に前記オフフック処理により通話を開始させた場合に、前記放送受信処理の受信形態を第２の放送受信形態に変更させる第１の変更処理と、
前記放送受信処理にて第２の放送受信形態で放送を受信している時に前記オンフック処理により通話を終了させた場合に、前記放送受信処理の受信形態を第１の放送受信形態に変更させる第２の変更処理と
をコンピュータで実行させることを特徴とする通信端末処理プログラム。
【請求項７】
映像・音声を出力する第１の放送受信形態またはメタデータを出力する第２の放送受信形態のいずれかで放送を受信する放送受信処理と、
着信したメールを受信するメール受信処理と、
前記メール受信処理により受信されたメールの開封を指示する開封指示処理と、
前記放送受信処理にて第１の放送受信形態で放送を受信している時に前記開封指示処理によりメールの開封を指示した場合、前記放送受信処理の受信形態を第２の放送受信形態に変更させる変更処理と、
前記変更処理の変更指示に応じて、前記放送受信処理が第２の放送受信形態で放送受信したメタデータと前記開封指示処理により開封指示されたメールの内容とを表示する表示処理と
をコンピュータで実行させることを特徴とする通信端末処理プログラム。
【請求項８】
映像・音声を出力する第１の放送受信形態またはメタデータを出力する第２の放送受信形態のいずれかで放送を受信する放送受信処理と、
着信したメールを受信するメール受信処理と、
前記メール受信処理により受信されたメールの開封を指示する開封指示処理と、
メール開封の終了を指示する終了指示処理と、
前記放送受信処理にて第１の放送受信形態で放送を受信している時に前記開封指示処理によりメールの開封を指示した場合、前記放送受信処理の受信形態を第２の放送受信形態に変更させる第１の変更処理と、
前記第１の変更処理の変更指示に応じて、前記放送受信処理が第２の放送受信形態で放送受信したメタデータと前記開封指示処理により開封指示されたメールの内容とを表示する表示手段と、
前記放送受信処理にて第２の放送受信形態で放送を受信している時に前記終了指示処理によりメール開封の終了を指示した場合に、前記放送受信処理の受信形態を第１の放送受信形態に変更させる第２の変更処理と
をコンピュータで実行させることを特徴とする通信端末処理プログラム。
【発明の詳細な説明】
【技術分野】
【０００１】
本発明は、放送受信機能を有する通信端末装置および通信端末処理プログラムに関する。
【背景技術】
【０００２】
地上デジタルテレビジョン放送では、１チャンネル当り約６ＭＨｚの伝送帯域幅を１３のセグメント（ＯＦＤＭセグメント）に分割し、その中央の１セグメントに移動受信用に割当てており、近年、そのセグメントで放送される番組を受信する機能を搭載した携帯電話などの通信端末装置が開発されている。この種の装置として、例えば特許文献１には、番組視聴処理中に携帯電話部で着信が生じて通話を開始した場合、視聴中の番組の符号化映像・音声データをＳＤＲＡＭに録画する処理を開始し、通話が終了すると、録画処理を続けながら、ＳＤＲＡＭから通話開始時点の符号化映像・音声データを読み出して追いかけ再生するものが開示されている。
【０００３】
【特許文献１】特開２００３−１１１００４号公報
【発明の開示】
【発明が解決しようとする課題】
【０００４】
上記特許文献１に開示の装置のように、放送受信機能を備えた通信端末装置では、ＣＰＵの処理能力や電池容量を勘案した仕様に基づき、通信処理が行われている間は放送受信機能を一時中断させる構成にすることが多い。この為、放送受信中に着信があると、一旦放送受信を中断させなければならず、通信処理と放送受信処理とを並列的に処理することができない、という問題がある。
そこで本発明は、このような事情に鑑みてなされたもので、通信処理と放送受信処理とを並列的に処理することができる通信端末装置および通信端末処理プログラムを提供することを目的としている。
【課題を解決するための手段】
【０００５】
上記目的を達成するため、請求項１に記載の発明では、映像・音声を出力する第１の放送受信形態またはメタデータを出力して音声をミュートする第２の放送受信形態のいずれかで放送を受信する放送受信手段と、着信時に通話を開始させるオフフック手段と、前記放送受信手段が第１の放送受信形態で放送を受信している時に前記オフフック手段が通話を開始させた場合、前記放送受信手段の受信形態を第２の放送受信形態に変更させる変更手段とを具備することを特徴とする。
【０００６】
請求項２に記載の発明では、映像・音声を出力する第１の放送受信形態またはメタデータを出力して音声をミュートする第２の放送受信形態のいずれかで放送を受信する放送受信手段と、着信時に通話を開始させるオフフック手段と、前記オフフック手段により開始された通話を終了させるオンフック手段と、前記放送受信手段が第１の放送受信形態で放送を受信している時に前記オフフック手段が通話を開始させた場合に、前記放送受信手段の受信形態を第２の放送受信形態に変更させる第１の変更手段と、前記放送受信手段が第２の放送受信形態で放送を受信している時に前記オンフック手段が通話を終了させた場合に、前記放送受信手段の受信形態を第１の放送受信形態に変更させる第２の変更手段とを具備することを特徴とする。
【０００７】
請求項３に記載の発明では、映像・音声を出力する第１の放送受信形態またはメタデータを出力する第２の放送受信形態のいずれかで放送を受信する放送受信手段と、着信したメールを受信するメール受信手段と、前記メール受信手段により受信されたメールの開封を指示する開封指示手段と、前記放送受信手段が第１の放送受信形態で放送を受信している時に前記開封指示手段がメールの開封を指示した場合、前記放送受信手段の受信形態を第２の放送受信形態に変更させる変更手段と、前記変更手段の変更指示に応じて、前記放送受信手段が第２の放送受信形態で放送受信したメタデータと前記開封指示手段により開封指示されたメールの内容とを表示する表示手段とを具備することを特徴とする。
【０００８】
請求項４に記載の発明では、映像・音声を出力する第１の放送受信形態またはメタデータを出力する第２の放送受信形態のいずれかで放送を受信する放送受信手段と、着信したメールを受信するメール受信手段と、前記メール受信手段により受信されたメールの開封を指示する開封指示手段と、メール開封の終了を指示する終了指示手段と、前記放送受信手段が第１の放送受信形態で放送を受信している時に前記開封指示手段がメールの開封を指示した場合、前記放送受信手段の受信形態を第２の放送受信形態に変更させる第１の変更手段と、前記第１の変更手段の変更指示に応じて、前記放送受信手段が第２の放送受信形態で放送受信したメタデータと前記開封指示手段により開封指示されたメールの内容とを表示する表示手段と、前記放送受信手段が第２の放送受信形態で放送を受信している時に前記終了指示手段がメール開封の終了を指示した場合に、前記放送受信手段の受信形態を第１の放送受信形態に変更させる第２の変更手段とを具備することを特徴とする。
【０００９】
請求項５に記載の発明では、映像・音声を出力する第１の放送受信形態またはメタデータを出力して音声をミュートする第２の放送受信形態のいずれかで放送を受信する放送受信処理と、着信時に通話を開始させるオフフック処理と、前記放送受信処理にて第１の放送受信形態で放送を受信している時に前記オフフック処理により通話を開始させた場合、前記放送受信処理の受信形態を第２の放送受信形態に変更させる変更処理とをコンピュータで実行させることを特徴とする。
【００１０】
請求項６に記載の発明では、映像・音声を出力する第１の放送受信形態またはメタデータを出力して音声をミュートする第２の放送受信形態のいずれかで放送を受信する放送受信処理と、着信時に通話を開始させるオフフック処理と、前記オフフック処理により開始された通話を終了させるオンフック処理と、前記放送受信処理にて第１の放送受信形態で放送を受信している時に前記オフフック処理により通話を開始させた場合に、前記放送受信処理の受信形態を第２の放送受信形態に変更させる第１の変更処理と、前記放送受信処理にて第２の放送受信形態で放送を受信している時に前記オンフック処理により通話を終了させた場合に、前記放送受信処理の受信形態を第１の放送受信形態に変更させる第２の変更処理とをコンピュータで実行させることを特徴とする。
【００１１】
請求項７に記載の発明では、映像・音声を出力する第１の放送受信形態またはメタデータを出力する第２の放送受信形態のいずれかで放送を受信する放送受信処理と、着信したメールを受信するメール受信処理と、前記メール受信処理により受信されたメールの開封を指示する開封指示処理と、前記放送受信処理にて第１の放送受信形態で放送を受信している時に前記開封指示処理によりメールの開封を指示した場合、前記放送受信処理の受信形態を第２の放送受信形態に変更させる変更処理と、前記変更処理の変更指示に応じて、前記放送受信処理が第２の放送受信形態で放送受信したメタデータと前記開封指示処理により開封指示されたメールの内容とを表示する表示処理とをコンピュータで実行させることを特徴とする。
【００１２】
請求項８に記載の発明では、映像・音声を出力する第１の放送受信形態またはメタデータを出力する第２の放送受信形態のいずれかで放送を受信する放送受信処理と、着信したメールを受信するメール受信処理と、前記メール受信処理により受信されたメールの開封を指示する開封指示処理と、メール開封の終了を指示する終了指示処理と、前記放送受信処理にて第１の放送受信形態で放送を受信している時に前記開封指示処理によりメールの開封を指示した場合、前記放送受信処理の受信形態を第２の放送受信形態に変更させる第１の変更処理と、前記第１の変更処理の変更指示に応じて、前記放送受信処理が第２の放送受信形態で放送受信したメタデータと前記開封指示処理により開封指示されたメールの内容とを表示する表示手段と、前記放送受信処理にて第２の放送受信形態で放送を受信している時に前記終了指示処理によりメール開封の終了を指示した場合に、前記放送受信処理の受信形態を第１の放送受信形態に変更させる第２の変更処理とをコンピュータで実行させることを特徴とする。
【発明の効果】
【００１３】
請求項１，５に記載の発明によれば、映像・音声を出力する第１の放送受信形態で放送を受信している時に着信により通話を開始させると、メタデータを出力して音声をミュートする第２の放送受信形態に変更させる。つまり、表示形態が動画表示から文字表示になり消費電力低減を図り、かつ受信した音声をミュートすることによって、通信処理と放送受信処理との並列的処理が可能になり、例えばプロ野球中継のメタデータを受信して試合内容を文字表示させ、これを読みながら通話相手と語り合うような使い方を実現することが出来る。
【００１４】
請求項２，６に記載の発明によれば、映像・音声を出力する第１の放送受信形態で放送を受信している時に着信により通話を開始させると、メタデータを出力して音声をミュートする第２の放送受信形態に変更させるから、表示形態が動画表示から文字表示になり消費電力低減を図り、かつ受信した音声をミュートするために通信処理と放送受信処理とを並列的に処理することができる。さらに、メタデータを出力して音声をミュートする第２の放送受信形態で放送を受信している時に通話を終了させると、映像・音声を出力する第１の放送受信形態に戻すので、通話終了と同時に即座に通常の放送受信形態に復帰させることができる。
【００１５】
請求項３，７に記載の発明では、映像・音声を出力する第１の放送受信形態で放送を受信している時に受信したメールの開封を指示すると、メタデータを出力する第２の放送受信形態に変更させ、この第２の放送受信形態で放送受信したメタデータと開封指示されたメールの内容とを表示するので、メール（通信）処理と放送受信処理とを並列的に処理することができ、しかも受信したメタデータおよび受信メールの内容を同時に確認することができる。
【００１６】
請求項４，８に記載の発明では、映像・音声を出力する第１の放送受信形態で放送を受信している時に受信したメールの開封を指示すると、メタデータを出力する第２の放送受信形態に変更させ、この第２の放送受信形態で放送受信したメタデータと開封指示されたメールの内容とを表示するので、メール（通信）処理と放送受信処理とを並列的に処理することができ、しかも受信したメタデータおよび受信メールの内容を同時に確認することができる。さらに、メタデータを出力して音声をミュートする第２の放送受信形態で放送を受信している時にメール開封の終了を指示すると、映像・音声を出力する第１の放送受信形態に戻すので、メール開封の終了と同時に即座に通常の放送受信形態に復帰させることができる。
【発明を実施するための最良の形態】
【００１７】
以下、図面を参照して本発明の実施の形態について説明する。
Ａ．構成
図１は本発明の一実施形態による携帯電話１の構成を示すブロック図である。この図に示す携帯電話１は、携帯電話部１０およびＴＶ受像部２０から構成されており、以下、携帯電話部１０とＴＶ部２０とに分けて各部構成を説明する。
【００１８】
（１）携帯電話部１０の構成
携帯電話部１０は通信処理部１１、制御部１２、ＲＯＭ１３、ＲＡＭ１４、操作部１５、マイク１６、スピーカ１７および表示部１８から構成される。通信処理部１１は、アンテナＡＮＴ１を介して受信復調した音声データを制御部１２に出力する一方、制御部１２から供給される音声データを変調して得た送信信号を高周波増幅してアンテナＡＮＴ１から送信する。制御部１２は、ＣＰＵおよびベースバンド信号処理用のＤＳＰ等から構成され、後述する操作部１５のスイッチ操作に応じて、携帯電話部１０およびＴＶ部２０の動作を制御する。携帯電話部１０の機能を担う制御部１２は、音声信号処理および通信制御処理を実行する。音声信号処理では、通信処理部１１が発生する通話中の音声データを音声信号にＤ／Ａ変換してスピーカ１７から発音させたり、マイク１６から出力される音声信号を音声データにＡ／Ｄ変換して通信処理部１１に供給する。通信制御処理の内容については、後述するメインルーチン、着信検知処理およびメール着信検知処理の動作説明で述べる。
【００１９】
ＲＯＭ１３は、制御部１２により実行される音声信号処理や通信制御処理の各プログラムや、各種処理に用いられる制御データを記憶する。なお、通信制御処理のプログラムとは、後述するメインルーチン、着信検知処理およびメール着信検知処理を含む。ＲＡＭ１４は、制御部１２が実行する各種処理に使われるフラグやレジスタデータを一時記憶するワークエリアの他、アドレス帳、着信履歴、発信履歴などを記憶する加入者情報エリア、送受信メールおよび作成メールを記憶するメールエリアおよび待受画面などの各種表示画面を形成する画像データを記憶する表示エリア等を備える。操作部１５は、パワーオンオフする電源スイッチ、通話開始／終了時に操作されるオフフック／オンフックスイッチの他、ダイヤルスイッチと兼用の文字入力スイッチ、表示内容を消去させるクリアスイッチ、アイテム選択用のカーソルスイッチおよびメール機能の起動を指示するメールスイッチ等を備える。表示部１８はカラー液晶パネルおよび表示ドライバから構成され、制御部１２の制御の下に待受画面などを画面表示する。
【００２０】
（２）ＴＶ部２０の構成
ＴＶ部２０は、チューナ部２１、復調部２２および復号部２３の他、携帯電話部１０と共用される制御部１２、ＲＯＭ１３、ＲＡＭ１４、操作部１５、スピーカ１７に付帯されるイヤホン出力端子および表示部１８から構成されている。チューナ部２１は、アンテナＡＮＴ２を介してＵＨＦ帯のデジタルテレビジョン放送信号を選局受信する。復調部２２は、チューナ２１の受信出力をＯＦＤＭ復調して得たトランスポートストリーム信号から番組パケット（ＭＰＥＧデータ）を分離抽出する。
【００２１】
復号部２３は、復調部２２が分離抽出した番組パケットを映像／音声データに復号する。また、復調部２２および復号部２３は、後述するように、携帯電話部１０側で着信が生じた場合に制御部１２からの指示に従い、音声出力をミュートすると共に、トランスポートストリーム信号からメタデータを抽出して復号する。メタデータとは、放送中の番組に付帯されるコンテンツ情報（例えば、字幕や番組内容を説明するシーンデータ等）である。
【００２２】
ＴＶ部２０の機能を担う制御部１２は、携帯電話部１０が通信処理を行っていない場合には、復号部２３が出力する映像／音声データに基づき表示部１８に映像表示したり、スピーカ１７に付帯されるイヤホン出力端子に音声信号を供給する。携帯電話部１０側で着信が生じた場合には、復調部２２および復号部２３にメタデータの抽出復号および音声ミュートを指示し、これに応じて復号部２３が出力するメタデータを表示部１８に表示する。つまり、携帯電話部１０側が通信処理を行っている間、ＴＶ部２０は音声出力をミュートしつつ、メタデータ放送を受信して、例えば表示部１８に字幕を表示したり、番組内容を説明するシーンデータを文字表示するメタデータ放送受信形態に変更される。
【００２３】
また、ＴＶ部２０の機能を担う制御部１２は、携帯電話部１０側でメール着信が生じた場合には、復調部２２および復号部２３にメタデータの抽出および復号を指示し、これに応じて復号部２３が出力するメタデータを、表示部１８における表示エリアの上半分に表示する。この場合、復調部２２および復号部２３は、音声信号については、通常の放送受信形態と同様に復調復号する。したがって、携帯電話部１０側がメール着信およびメール開封を行っている間、ＴＶ部２０は放送受信した音声を再生しつつ、表示部１８の表示エリアの上半分にメタデータ放送の内容を表示するメタデータ放送受信形態に変更される。操作部１５には、ＴＶ部２０をオンオフするＴＶスイッチや選局操作に用いるチャンネルスイッチが設けられる。
【００２４】
Ｂ．動作
次に、図２〜図６を参照して動作を説明する。以下では、制御部１２が実行するメインルーチン、着信検知処理およびメール着信検知処理の各動作について述べる。
【００２５】
（１）メインルーチンの動作
操作部１５に配設される電源スイッチの操作に応じて、携帯電話１がパワーオンされると、制御部１２は図２〜図４に図示するメインルーチンを実行する。メインルーチンが実行されると、制御部１２は図２に図示するステップＳＡ１に処理を進め、携帯電話１の各部を初期化するイニシャライズを実行する。イニシャライズが完了すると、ステップＳＡ２に進み、ＲＯＭ１３から読み出した待ち受け画像データをＲＡＭ１４の表示エリアにストアし、ストアされた待ち受け画像データに基づき待受画面を表示部１８に表示する。次いで、ステップＳＡ３以降では、操作部１５に配設されるオフフックスイッチ、オンフックスイッチ、ＴＶスイッチ、メールスイッチの各操作に対応した処理を実行する。以下、各スイッチ操作に対応して実行される処理の動作を説明する。
【００２６】
ａ．オフフックスイッチがオン操作された場合
ユーザが通話を開始すべくオフフックスイッチをオン操作すると、ステップＳＡ３の判断結果が「ＹＥＳ」になり、ステップＳＡ４に進み、表示部１８に表示される画面を待受画面から番号入力画面に変更し、続くステップＳＡ５では、ダイヤルスイッチの操作に応じて入力された電話番号を番号入力画面に表示しつつレジスタセットする。次いで、ステップＳＡ６〜ＳＡ７では、レジスタセットされた電話番号に基づき発信および呼出報知を実行する。そして、呼出報知に応じて着呼側がオフフックして回線が接続されると、ステップＳＡ８の判断結果が「ＹＥＳ」になり、ステップＳＡ９に進み、通話処理を実行する。以後、オンフックスイッチがオン操作されるまでステップＳＡ９の通話処理を継続する。
【００２７】
ｂ．オンフックスイッチがオン操作された場合
上記ステップＳＡ９の通話処理中にユーザがオンフックスイッチをオン操作したとする。そうすると、ステップＳＡ１０の判断結果が「ＹＥＳ」になり、ステップＳＡ１１に進み、回線を断つ終話処理を実行した後、上述のステップＳＡ２に処理を戻して待受画面表示状態に復帰する。
【００２８】
ｃ．ＴＶスイッチが操作された場合
待受画面表示状態でユーザがＴＶスイッチをオン操作すると、図３に示すステップＳＡ１２の判断結果が「ＹＥＳ」になり、ステップＳＡ１３に進み、ＴＶ部２０（チューナ部２１、復調部２２および復号部２３）をオン状態に設定する。次いで、ステップＳＡ１４〜ＳＡ１５では、ＴＶスイッチがオフ操作される迄、復号部２３が発生する映像データを表示部１８に映像表示すると共に、復号部２３が発生する音声データをアナログ形式の音声信号に変換した後、スピーカ１７に付帯されるイヤホン出力端子に供給する。そして、ＴＶスイッチがオフ操作されると、ステップＳＡ１６の判断結果が「ＹＥＳ」となり、ステップＳＡ１７に進み、ＴＶ部２０をオフ状態に設定してから図２に示すステップＳＡ２に処理を戻して待受画面表示状態に復帰する。
【００２９】
ｄ．メールスイッチがオン操作された場合
待受画面表示状態でユーザがメールスイッチをオン操作すると、図４に示すステップＳＡ１８の判断結果が「ＹＥＳ」になり、ステップＳＡ１９に進む。ステップＳＡ１９に進むと、制御部１２は表示部１８にメール画面を表示する。メール画面とは、図示していないが、例えば「新規作成」や「受信ＢＯＸ」等、メール機能に係わる処理項目を一覧表示する画面である。次いで、ステップＳＡ２０に進むと、このメール画面に一覧表示される処理項目の一つを強調表示する。例えば、メール画面におけるデフォルト位置（例えば画面最上位の行）に表示される処理項目を強調表示する。なお、ここで言う強調表示とは、フォーカスされた項目の表示領域の表示色を異ならせる等の表示処理を指す。
【００３０】
次に、ステップＳＡ２１〜ＳＡ２４では、メール画面が表示された状態で行われるカーソルスイッチ、決定スイッチおよびクリアスイッチのオン操作に対応した処理を実行する。すなわち、メール画面に一覧表示される処理項目の内から所望の項目を選択すべくユーザがカーソルスイッチをオン操作すると、ステップＳＡ２１の判断結果が「ＹＥＳ」になり、ステップＳＡ２２に進み、強調表示する位置を移動させる。そして、ユーザが決定スイッチをオン操作すると、ステップＳＡ２３の判断結果が「ＹＥＳ」になり、ステップＳＡ２５に進む。なお、メール機能に係わる処理項目の選択／実行指示を中止する為にクリアスイッチがオン操作された場合には、ステップＳＡ２４の判断結果が「ＹＥＳ」となり、図２に図示するステップＳＡ２に処理を戻して待受画面表示状態に復帰する。
【００３１】
次に、ステップＳＡ２５〜ＳＡ２４では、上記ステップＳＡ１４〜ＳＡ１６にて選択／実行指示された処理項目を起動する。つまり、カーソルスイッチおよび決定スイッチのオン操作によって選択／実行指示された処理項目が「新規作成」の場合には、ステップＳＡ２５の判断結果が「ＹＥＳ」になり、ステップＳＡ２６に進み、新規メールを作成する新規作成処理を実行した後、上記ステップＳＡ１９に処理を戻してメール画面表示状態に復帰する。
選択／実行指示された処理項目が「受信ＢＯＸ」の場合には、ステップＳＡ２７の判断結果が「ＹＥＳ」になり、ステップＳＡ２８に進み、ＲＡＭ１４のメールエリア内の受信ＢＯＸに格納される受信メールを一覧表示する等の受信ＢＯＸ処理を実行した後、メールリスト画面表示状態に復帰する。
選択／実行指示された処理項目が「新規作成」および「受信ＢＯＸ」以外の場合には、ステップＳＡ２９に進み、その他のメール処理を実行した後、メールリスト画面表示状態に復帰する。
【００３２】
（２）着信検知処理の動作
次に、図５を参照して着信検知処理の動作を説明する。前述したメインルーチンを実行中に着信があると、制御部１２は本処理を割込み実行してステップＳＢ１に進み、ユーザに着信を報知する着信画面を表示部１８に表示する。続いて、ステップＳＢ２〜ＳＢ３では、ユーザがオフフックスイッチをオン操作するまで着信報知を行う。そして、オフフックスイッチがオン操作されると、ステップＳＢ３の判断結果が「ＹＥＳ」になり、ステップＳＢ４に進む。ステップＳＢ４では、ＴＶ部２０がオン設定されているか否かを判断する。
【００３３】
ＴＶ部２０がオン設定されている場合には、判断結果が「ＹＥＳ」になり、ステップＳＢ５に進む。ステップＳＢ５〜ＳＢ６では、復調部２２および復号部２３にメタデータの抽出復号および音声ミュートを指示し、これに応じて復号部２３が出力するメタデータを表示部１８に表示した後、ステップＳＢ７に進む。一方、ＴＶ部２０がオン設定されていなければ、上記ステップＳＢ４の判断結果は「ＮＯ」になり、ステップＳＢ７に進む。
次いで、ステップＳＢ７〜ＳＢ９では、ユーザがオンフックスイッチをオン操作するまで上記ステップＳＢ４〜ＳＢ６の処理に続いて、ステップＳＢ７の通話処理を実行する。つまり、ＴＶ部２０がオン設定されている時に着信があると、映像・音声を出力する通常の放送受信形態から、メタデータを出力して音声をミュートするメタデータ放送受信形態に切り替えた後に通話処理を実行する。したがって、表示部１８の表示形態を動画表示から文字表示に変更して消費電力の低減を図り、かつ受信した音声をミュートすることによって、通信処理と放送受信処理との並列的処理を可能にしている。そして、ユーザがオンフックスイッチをオン操作すると、ステップＳＢ８の判断結果が「ＹＥＳ」となり、ステップＳＢ９に進み、回線を切る終話処理を実行した後、本処理を完了させてから前述のメインルーチンに復帰する。
【００３４】
（３）メール着信検知処理の動作
次に、図６を参照してメール着信検知処理の動作を説明する。前述のメインルーチン実行中にメール着信があると、制御部１２は本処理を割込み実行し、図６に示すステップＳＣ１に処理を進める。ステップＳＣ１では、着信したメールをＲＡＭ１４のメールエリアに設けられる受信ＢＯＸにストアし、続くステップＳＣ２では、ユーザにメール着信を報知するメール着信画面を表示部１８に表示する。続いて、ステップＳＣ３〜ＳＣ４では、一定時間メール着信報知を行う。メール着信報知を一定時間行うと、ステップＳＣ４の判断結果が「ＹＥＳ」になり、ステップＳＣ５に進み、着信報知を停止する。
【００３５】
次いで、ステップＳＣ６〜ＳＣ７では、オフフックスイッチ又はクリアスイチのオン操作の有無を判別する。着信メールを開封しない場合には、クリアスイチをオン操作する。この場合、ステップＳＣ７の判断結果が「ＹＥＳ」になり、本処理を完了する。一方、着信メールを開封すべくオフフックスイッチをオン操作すると、ステップＳＣ６の判断結果が「ＹＥＳ」になり、ステップＳＣ７に進む。ステップＳＣ７では、ＴＶ部２０がオン設定されているか否かを判断する。ＴＶ部２０がオフ設定されていると、判断結果は「ＮＯ」になり、ステップＳＣ８に進み、着信メールの内容を表示部１８に表示した後、ステップＳＣ１１に進む。
【００３６】
一方、着信メールを開封する際にＴＶ部２０がオン設定されていると、上記ステップＳＣ７の判断結果が「ＹＥＳ」になり、ステップＳＣ９に進む。ステップＳＣ９では、復調部２２および復号部２３にメタデータの抽出および復号を指示し、これに応じて復号部２３が出力するメタデータを、表示部１８における表示エリアの上半分に表示する。そして、ステップＳＣ１０では、着信メールの本文を、表示部１８における表示エリアの下半分に表示する。このように、着信メールを開封する際にＴＶ部２０がオン設定されていると、映像・音声を出力する通常の放送受信形態からメタデータを出力するメタデータ放送受信形態に切り替わり、表示部１８の表示エリアの上半分に受信したメタデータを、下半分に着信メールの本文をそれぞれ画面表示し、受信したメタデータおよび着信メールの内容を同時に確認できるようにしている。
【００３７】
そして、メール表示を終えるべく、ユーザがオンフックスイッチをオン操作すると、ステップＳＣ１１の判断結果が「ＹＥＳ」になり、ステップＳＣ１２に進む。ステップＳＣ１２では、ＴＶ部２０がオン設定されているかどうかを判断する。ＴＶ部２０がオフ設定されていれば、判断結果は「ＮＯ」になり、図２に図示するメインルーチンのステップＳＡ２に戻り、待受画面表示状態に復帰する。これに対し、ＴＶ部２０がオン設定されていると、判断結果が「ＹＥＳ」になり、ステップＳＣ１３に進み、メタデータ放送受信形態から通常の放送受信形態に変更してからメインルーチンに復帰する。
【００３８】
以上説明したように、本実施形態では、ＴＶ部２０の動作中に携帯電話部１０に着信があると、制御部１２は、ＴＶ部２０を映像・音声を出力する通常の放送受信形態からメタデータを出力して音声をミュートするメタデータ放送受信形態に変更させてＴＶ部２０の消費電力を低減させた状態で携帯電話部１０に通話処理させるので、通信処理と放送受信処理とを並列的に処理することができる。これにより、例えばプロ野球中継のメタデータを受信して試合内容を文字表示させ、これを読みながら通話相手と語り合うような使い方が可能になる。
【００３９】
さらに、本実施形態では、ＴＶ部２０の動作中に携帯電話部１０にメール着信があると、ユーザの着信メール開封操作に応じて、制御部１２はＴＶ部２０を映像・音声を出力する通常の放送受信形態からメタデータを出力するメタデータ放送受信形態に変更させ、表示部１８の表示エリアの上半分にメタデータ放送受信内容を、下半分に開封した着信メールの本文をそれぞれ画面表示するので、メール処理と放送受信処理とを並列的に処理することができる。これにより、メタデータ放送受信内容を見ながら、着信メールの内容を確認することができる。
【００４０】
なお、上述した実施形態では、ＴＶ部２０の動作中に携帯電話部１０に着信あるいはメール着信が生じた場合について言及したが、これに限らず、例えば携帯電話部１０側にＷｅｂブラウザ機能が搭載されている場合、ＴＶ部２０の動作中に携帯電話部１０がＷｅｂブラウザ機能を起動させてインターネット接続するのに応じて、ＴＶ部２０を通常の放送受信形態からメタデータ出力するメタデータ放送受信形態に変更させる態様とすることもできる。こうした態様の場合、例えばメタデータとしてサイトのＵＲＬが表示された時、そのＵＲＬを参照して即座にサイト接続することもできる。
【図面の簡単な説明】
【００４１】
【図１】本発明による一実施形態の構成を示すブロック図である。
【図２】メインルーチンの動作を示すフローチャートである。
【図３】メインルーチンの動作を示すフローチャートである。
【図４】メインルーチンの動作を示すフローチャートである。
【図５】着信検知処理の動作を示すフローチャートである。
【図６】メール着信検知処理の動作を示すフローチャートである。
【符号の説明】
【００４２】
１  携帯電話
１０  携帯電話部
１１  通信処理部
１２  制御部
１３  ＲＯＭ
１４  ＲＡＭ
１５  操作部
１６  マイク
１７  スピーカ
１８  表示部
２０  ＴＶ部
２１  チューナ部
２２  復調部
２３  復号部
【図１】
2005269508.tif 000003
【図２】
2005269508.tif 000004
【図３】
2005269508.tif 000005
【図４】
2005269508.tif 000006
【図５】
2005269508.tif 000007
【図６】
2005269508.tif 000008